(57)【要約】      （修正有）【課題】内部部品を減少し、スペースの節約、騒音軽減、ほこり除去効果を奏するスキャンモジュールを提供する。【解決手段】スキャナ２００に設けられるスキャンモジュール１００は、用紙スキャン搬送路２０と、用紙スキャン搬送路２０の前方に設けられ、用紙スキャン搬送路２０に接続される給紙搬送路１０と、用紙スキャン搬送路２０の上側に架設されるとともに、内部に収容空間４１があり、収容空間４１の開口は、給紙搬送路１０に近い側が給紙搬送路１０から遠い側より高くなるように傾斜状態を呈して開口する固定ブラケット４０であって、用紙スキャン搬送路２０が収容空間４１の開口と略平行に対向することで斜め搬送路となる、固定ブラケット４０と、収容空間４１の開口に設けられるとともに収容空間４１を覆い、用紙スキャン搬送路２０と共に傾斜状態を呈するスキャンガラス５０と、を備える。【選択図】図２
0003227915.tif 000002
【実用新案登録請求の範囲】
【請求項１】
スキャナに設けられるスキャンモジュールであって、
用紙スキャン搬送路と、
前記用紙スキャン搬送路の前方に設けられ、前記用紙スキャン搬送路に接続される給紙搬送路と、
前記用紙スキャン搬送路の上側に架設されるとともに、内部に収容空間があり、前記収容空間の開口は、前記給紙搬送路に近い側が前記給紙搬送路から遠い側より高くなるように傾斜状態を呈して開口する固定ブラケットであって、前記用紙スキャン搬送路が前記収容空間の開口と略平行に対向することで斜め搬送路となる、固定ブラケットと、
前記収容空間の開口に設けられるとともに前記収容空間を覆い、前記用紙スキャン搬送路と共に傾斜状態を呈するスキャンガラスと、
を備える、ことを特徴とするスキャンモジュール。
【請求項２】
前記収容空間に複数の光源発生器及び複数の光電センサが設けられる、ことを特徴とする請求項１に記載のスキャンモジュール。
【考案の詳細な説明】
【技術分野】
【０００１】
本考案は、スキャンモジュールに関し、特に用紙のスキャニングを行う際にスキャン品質を維持するスキャンモジュールに関する。
【背景技術】
【０００２】
図５を参照されたい。従来のスキャナ２００’内には外部に連通する給紙搬送路１０’が設けられ、前記給紙搬送路１０’は用紙通過用の水平の用紙スキャン搬送路２０’に接続され、用紙スキャン搬送路２０’は排紙搬送路３０’に接続される。用紙スキャン搬送路２０’は、底部がスキャンガラス５０’であり、上側にブラシ７０が設けられる。スキャナが用紙に対してスキャニングを行う際に、用紙スキャン搬送路２０’のスキャンガラス５０’では、ほこりの蓄積が発生しており、且つスキャンガラス５０’の静電気によりそのほこりが付着することとなる。用紙が用紙スキャン搬送路２０’を通過すると、用紙はスキャンガラス５０’に沿って排紙搬送路３０’に向かって排出される。しかし、用紙スキャン搬送路２０’は水平の搬送路であって、用紙は、用紙スキャン搬送路２０’を通過する際に、その移動経路が水平となるため、スキャンガラス５０’に密接しにくくなり、一部のほこりのみと共に用紙スキャン搬送路２０’から排出される。その上、残りのほこりが静電気によってスキャンガラス５０’に残留するため、用紙のスキャニングの間に用紙スキャン搬送路２０’上側のブラシ７０を回転させてスキャンガラス５０’にあるほこりを用紙スキャン搬送路２０’から除去する必要がある。
【０００３】
しかしながら、このようなほこり除去の方式は、スキャナ２００’の内部部品の設置スペースが増大するとともに、ブラシ７０を回転させるモータが更に増設されなければならないことから、スキャナ２００’の電力消費量、全体の体積、及び騒音がより増大してしまう。
【０００４】
よって、内部所要の部品を減少しつつスペース節約、騒音軽減、及びほこり除去の効果を奏するスキャンモジュールの提供が必要となる。
【考案の概要】
【考案が解決しようとする課題】
【０００５】
本考案の目的は、用紙のスキャニングを行う際にスキャン品質を維持するスキャンモジュールを提供することである。
【課題を解決するための手段】
【０００６】
上記目的を実現するために、本考案では、スキャナに設けられるスキャンモジュールであって、用紙スキャン搬送路と、前記用紙スキャン搬送路の前方に設けられ、前記用紙スキャン搬送路に接続される給紙搬送路と、前記用紙スキャン搬送路の上側に架設されるとともに、内部に収容空間があり、前記収容空間の開口は、前記給紙搬送路に近い側が前記給紙搬送路から遠い側より高くなるように傾斜状態を呈して開口する固定ブラケットであって、前記用紙スキャン搬送路が前記収容空間の開口と略平行に対向することで斜め搬送路となる、固定ブラケットと、前記収容空間の開口に設けられるとともに前記収容空間を覆い、前記用紙スキャン搬送路と共に傾斜状態を呈するスキャンガラスと、を備えることを特徴とするスキャンモジュールが開示されている。
【考案の効果】
【０００７】
上記のとおり、スキャンガラスが用紙スキャン搬送路と共に傾斜状態とされることで、用紙は、用紙スキャン搬送路を通過する際に、この傾斜状態の配置によってスキャンガラスに密接しつつ同ガラスにあるほこりと共に排出される。このようにして、余分なクリーナ部品が不要となる上、用紙スキャン搬送路にほこりが蓄積することを防ぐことで、スキャンモジュールの用紙に対するスキャン品質を維持することができる。
【図面の簡単な説明】
【０００８】
【図１】本考案のスキャンモジュールがスキャナに取付けられる様子を示す斜視図である。
【図２】図１のII―II線の断面図である。
【図３】図２における円III内の用紙が用紙スキャン搬送路に入る際の拡大図である。
【図４】図２における円IV内の用紙が用紙スキャン搬送路に入った後の拡大図である。
【図５】従来のスキャンモジュールの断面図である。
【考案を実施するための形態】
【０００９】
以下、本考案の技術的内容、構造や特徴、達する目的、及び奏する効果について、実施例を挙げつつ図面を照らして詳しく説明する。
【００１０】
図１及び図２を参照されたい。本考案では、スキャンモジュール１００が開示されており、スキャンモジュール１００はスキャナ２００内に設けられる。本考案のスキャンモジュール１００は、用紙３００に対してスキャニングを行うものであり、外部に連通する給紙搬送路１０が内部に設けられる。本考案では、用紙３００が供給される側を前方と定義し、用紙３００が供給される側と反対側を後方と定義する。前記給紙搬送路１０の後方には、同搬送路１０に接続される用紙３００通過用の用紙スキャン搬送路２０が設けられる。用紙スキャン搬送路２０の後方には、同搬送路２０に接続される排紙搬送路３０が設けられる。前記スキャンモジュール１００には、スキャンガラス５０が設けられる。
【００１１】
スキャンモジュール１００は、横方向に延びる固定ブラケット４０を備える。固定ブラケット４０は収容空間４１を有し、前記収容空間４１の開口は傾斜状態を呈して開口し、前記傾斜は給紙搬送路１０に近い側が給紙搬送路１０から遠い側より高くなる傾斜である。スキャンガラス５０は、前記収容空間４１の開口に設けられるとともに前記収容空間４１を覆う。収容空間４１には、複数の光源発生器６０及び複数の光電センサ（図示せず）が設けられる。複数の光源発生器６０及び複数の光電センサは、共にスキャンガラス５０に垂直な配置であるため、スキャナの奥行き設定を維持することができる。収容空間４１の開口が給紙搬送路１０に偏って設けられるため、スキャンガラス５０は傾斜状態を呈しており、複数の光源発生器６０及び複数の光電センサはスキャンモジュール１００の底面と非平行に設けられることとなる。複数の光源発生器６０は、それぞれスキャンガラス５０を介して用紙スキャン搬送路２０の用紙３００に光源を出射するためのものであり、用紙３００は、スキャンガラス５０を介して複数の光電センサに各光源を反射させる。このようにして、用紙３００のスキャニングを行う。
【００１２】
図３及び図４を参照されたい。本考案のスキャンモジュール１００の使用する際に、用紙スキャン搬送路２０ではほこり４００が発生しており、このほこり４００は、スキャンガラス５０と用紙との間の摩擦に起因する静電気によってスキャンガラス５０に付着する。スキャンガラス５０は傾斜状態を呈しているため、スキャンガラス５０とスキャンモジュール１００の底面との間にある用紙スキャン搬送路２０は後方下側に向かって傾斜する斜め搬送路となる。用紙スキャン搬送路２０が後方下側に向かって傾斜する斜め搬送路であるため、用紙３００は、給紙搬送路１０から用紙スキャン搬送路２０に入る際に、前端が先に用紙スキャン搬送路２０の天面となるスキャンガラス５０に接触し、移動経路がスキャンガラス５０の下向きの斜面によって制御されることで、スキャンガラス５０に密接したまま排紙搬送路３０に排出される。この際、ほこり４００は、スキャンガラス５０と用紙３００との間に付着しており、用紙３００とガラスに起因する摩擦力によって、用紙３００の移動に伴ってスキャンガラス５０から排出される。このようにして、用紙スキャン搬送路２０にあるほこり４００を除去することで、スキャンモジュール１００の用紙３００に対するスキャン品質を維持することができる。
【００１３】
上記のとおり、スキャンガラス５０が用紙スキャン搬送路２０と共に傾斜状態とされることで、用紙３００は、用紙スキャン搬送路２０を通過する際に、スキャンガラス５０との密接によって同ガラス５０にあるほこり４００と共に排出される。このようにして、余分なクリーナ部品が不要となる上、用紙スキャン搬送路２０にほこり４００が蓄積することを防ぐことで、スキャンモジュール１００の用紙３００に対するスキャン品質を維持することができる。
【符号の説明】
【００１４】
１００    スキャンモジュール
２００    スキャナ
３００    用紙
１０      給紙搬送路
２０     用紙スキャン搬送路
３０      排紙搬送路
４０      固定ブラケット
４１      収容空間
５０      スキャンガラス
６０      光源発生器
７０      ブラシ
４００    ほこり
【図１】
0003227915.tif 000003
【図２】
0003227915.tif 000004
【図３】
0003227915.tif 000005
【図４】
0003227915.tif 000006
【図５】
0003227915.tif 000007